(57)【特許請求の範囲】
【請求項１】
複数のチャンネルを介して外部接続機器より送信されたオーディオ信号を受信するオーディオ信号受信装置であって、
前記外部接続機器が送信する前記オーディオ信号の種別を表すチャンネルマッピング情報を含む接続管理情報を前記外部接続機器から受信する接続管理情報受信部と、
前記チャンネルマッピング情報に基づいて前記外部接続機器における前記オーディオ信号の送信方式を判別するオーディオ信号送信方式判別部と、
前記チャンネルマッピング情報に基づいて、前記外部接続機器から前記オーディオ信号を受信するオーディオ信号受信部と、
送信される前記オーディオ信号の変更要求を前記外部接続機器に通知する取得希望信号通知部と、
を備え、
受信する前記オーディオ信号を変更する際、前記オーディオ信号の送信方式が、前記複数のチャンネルのうちの少なくとも１のチャンネルに、単一の音源から取得した複数のオーディオ信号に含まれるサラウンド信号を割り当てて送信する第１の送信方式であった場合、前記取得希望信号通知部は、前記外部接続機器に対して、前記一つの音源から取得したオーディオ信号を送信するチャンネルにて送信される前記オーディオ信号の変更要求を通知し、
受信する前記オーディオ信号を変更する際、前記オーディオ信号の送信方式が、複数の音源から取得したオーディオ信号をそれぞれの前記音源ごとに前記複数のチャンネルに割り当てて送信する第２の送信方式であった場合、前記オーディオ信号受信部は、前記外部接続機器から受信する前記オーディオ信号の前記チャンネルを変更する、オーディオ信号受信装置。
【請求項２】
前記接続管理情報受信部は、
前記オーディオ信号受信部が接続可能な前記チャンネルに関するチャンネル情報を前記外部接続機器から受信し、
前記オーディオ信号受信部は、
前記チャンネルマッピング情報および前記チャンネル情報に基づいて、前記オーディオ信号を取得する、請求項１に記載のオーディオ信号受信装置。
【請求項３】
受信する前記オーディオ信号を変更する際、前記オーディオ信号受信部が前記複数のチャンネルで送信されている前記オーディオ信号を全て確認した後に、前記取得希望信号通知部は、前記外部接続機器に対して通信を行い、前記外部接続機器が未だ送信していないオーディオ信号の存非を確認し、
前記未だ送信していないオーディオ信号が存在する場合には、前記取得希望信号通知部は、前記外部接続機器に対して、前記複数のチャンネルにて送信される前記オーディオ信号の変更要求を通知し、
前記未だ送信していないオーディオ信号が存在しない場合には、前記オーディオ信号受信部は、前記外部接続機器から受信する前記オーディオ信号の前記チャンネルを変更する、請求項１に記載のオーディオ信号受信装置。
【請求項４】
オーディオ信号を複数のチャンネルを介して外部接続機器へと送信するオーディオ信号送信装置であって、
前記複数のチャンネルそれぞれで送信している前記オーディオ信号の種別を表すチャンネルマッピング情報を含む接続管理情報を、前記オーディオ信号送信装置に接続されている前記外部接続機器へと送信する接続管理情報送信部と、
稼働状態にある前記外部接続機器から送信された、当該外部接続機器が受信している前記オーディオ信号に関する情報を少なくとも含む外部接続機器送信情報を受信する外部接続機器送信情報取得部と、
前記外部接続機器送信情報に基づいて、当該外部接続機器送信情報を反映した前記チャンネルマッピング情報を生成するチャンネルマッピング情報生成部と、
前記チャンネルマッピング情報に応じて前記オーディオ信号を前記オーディオ信号送信装置に接続されている外部接続機器へと送信するオーディオ信号送信部と、
前記複数のチャンネルのそれぞれから前記オーディオ信号を受信している前記外部接続機器の個数を含む前記外部接続機器の接続状況を管理するチャンネル管理部と、
を備え、
前記チャンネル管理部は、前記外部接続機器送信情報に基づいて、前記複数のチャンネルを管理する、オーディオ信号送信装置。
【請求項５】
前記チャンネルマッピング情報生成部は、
各前記チャンネルから前記オーディオ信号を受信している前記外部接続機器の個数を、前記チャンネル管理部より取得し、
前記オーディオ信号を受信している前記外部接続機器の個数が少ない前記チャンネルの前記チャンネルマッピング情報を更新する、請求項４に記載のオーディオ信号送信装置。
【請求項６】
送信可能な前記オーディオ信号が前記チャンネル数よりも多く、前記外部接続機器送信情報取得部が前記外部接続機器より前記オーディオ信号の変更要求を取得した場合に、
前記チャンネルマッピング情報生成部は、前記チャンネルマッピング情報を更新して未送信の前記オーディオ信号を前記複数のチャンネルのいずれか一つに割り当てる、請求項４に記載のオーディオ信号送信装置。
【請求項７】
前記接続管理情報送信部は、
前記外部接続機器が接続可能な前記チャンネルに関するチャンネル情報を更に含む前記接続管理情報を、前記外部接続機器に送信する、請求項６に記載のオーディオ信号送信装置。
【請求項８】
前記オーディオ信号送信装置における前記オーディオ信号の送信方式が、複数の音源から取得したオーディオ信号を前記複数のチャンネルで送信する方式であった場合に、
前記チャンネルマッピング情報生成部は、前記外部接続機器送信情報取得部が前記外部接続機器より前記オーディオ信号の変更要求を取得した後に、前記チャンネルマッピング情報を変更する、請求項４に記載のオーディオ信号送信装置。
【請求項９】
オーディオ信号を複数のチャンネルを介して外部接続機器へと送信するオーディオ信号送信装置と、前記オーディオ信号送信装置から送信された前記オーディオ信号を受信するオーディオ信号受信装置と、備えるオーディオ信号伝送システムであって、
前記オーディオ信号送信装置は、
前記複数のチャンネルそれぞれで送信している前記オーディオ信号の種別を表すチャンネルマッピング情報を含む接続管理情報を、前記オーディオ信号送信装置に接続されている前記オーディオ信号受信装置を含む前記外部接続機器へと送信する接続管理情報送信部と、
稼働状態にある前記外部接続機器から送信された、当該外部接続機器が受信している前記オーディオ信号に関する情報を少なくとも含む外部接続機器送信情報を受信する外部接続機器送信情報取得部と、
前記外部接続機器送信情報に基づいて、当該外部接続機器送信情報を反映した前記チャンネルマッピング情報を生成するチャンネルマッピング情報生成部と、
前記チャンネルマッピング情報に応じて前記オーディオ信号を前記オーディオ信号送信装置に接続されている外部接続機器へと送信するオーディオ信号送信部と、
前記複数のチャンネルのそれぞれから前記オーディオ信号を受信している前記外部接続機器の個数を含む前記外部接続機器の接続状況を管理するチャンネル管理部と、
を備え、
前記チャンネル管理部は、前記外部接続機器送信情報に基づいて、前記複数のチャンネルを管理し、
前記オーディオ信号受信装置は、
前記オーディオ信号送信装置が送信する前記オーディオ信号の種別を表すチャンネルマッピング情報を含む接続管理情報を前記オーディオ信号送信装置から受信する接続管理情報受信部と、
前記チャンネルマッピング情報に基づいて前記オーディオ信号送信装置における前記オーディオ信号の送信方式を判別するオーディオ信号送信方式判別部と、
前記チャンネルマッピング情報に基づいて、前記オーディオ信号送信装置から前記オーディオ信号を受信するオーディオ信号受信部と、
送信される前記オーディオ信号の変更要求を前記オーディオ信号送信装置に通知する取得希望信号通知部と、
を備え、
受信する前記オーディオ信号を変更する際、前記オーディオ信号の送信方式が、前記複数のチャンネルのうちの少なくとも１のチャンネルに、単一の音源から取得した複数のオーディオ信号に含まれるサラウンド信号を割り当てて送信する第１の送信方式であった場合、前記取得希望信号通知部は、前記オーディオ信号送信装置に対して、前記一つの音源から取得したオーディオ信号を送信するチャンネルにて送信される前記オーディオ信号の変更要求を通知し、
受信する前記オーディオ信号を変更する際、前記オーディオ信号の送信方式が、複数の音源から取得したオーディオ信号をそれぞれの前記音源ごとに前記複数のチャンネルに割り当てて送信する第２の送信方式であった場合、前記オーディオ信号受信部は、前記オーディオ信号送信装置から受信する前記オーディオ信号の前記チャンネルを変更する、オーディオ信号伝送システム。
【請求項１０】
オーディオ信号を複数のチャンネルを介して外部接続機器へと送信するオーディオ信号送信装置と、前記オーディオ信号送信装置から送信された前記オーディオ信号を受信するオーディオ信号受信装置と、備えるオーディオ信号伝送システムでオーディオ信号を伝送するオーディオ信号伝送方法であって、
前記複数のチャンネルそれぞれで送信している前記オーディオ信号の種別を表すチャンネルマッピング情報を含む接続管理情報を、前記オーディオ信号送信装置に接続されている前記オーディオ信号受信装置を含む外部接続機器へと送信するステップと、
前記チャンネルマッピング情報に応じて前記オーディオ信号を前記オーディオ信号送信装置に接続されている外部接続機器へと送信するステップと、
前記オーディオ信号送信装置が前記外部接続機器より前記オーディオ信号の変更要求を取得した場合に、前記チャンネルマッピング情報を変更するステップと、
を含むことを特徴とする、オーディオ信号伝送方法。
【請求項１１】
コンピュータを、複数のチャンネルを介して外部接続機器より送信されたオーディオ信号を受信するオーディオ信号受信装置として機能させるためのプログラムであって、
前記外部接続機器が送信する前記オーディオ信号の種別を表すチャンネルマッピング情報を含む接続管理情報を前記外部接続機器から受信する接続管理情報受信機能と、
前記チャンネルマッピング情報に基づいて前記外部接続機器における前記オーディオ信号の送信方式を判別するオーディオ信号送信方式判別機能と、
前記チャンネルマッピング情報に基づいて、前記外部接続機器から前記オーディオ信号を受信するオーディオ信号受信機能と、
送信される前記オーディオ信号の変更要求を前記外部接続機器に通知する取得希望信号通知機能と、
を実現させるためのプログラム。
【請求項１２】
コンピュータを、オーディオ信号を複数のチャンネルを介して外部接続機器へと送信するオーディオ信号送信装置として機能させるためのプログラムであって、
前記複数のチャンネルそれぞれで送信している前記オーディオ信号の種別を表すチャンネルマッピング情報を含む接続管理情報を、前記オーディオ信号送信装置に接続されている前記外部接続機器へと送信する接続管理情報送信機能と、
稼働状態にある前記外部接続機器から送信された、当該外部接続機器が受信している前記オーディオ信号に関する情報を少なくとも含む外部接続機器送信情報を受信する外部接続機器送信情報取得機能と、
前記外部接続機器送信情報に基づいて、当該外部接続機器送信情報を反映した前記チャンネルマッピング情報を生成するチャンネルマッピング情報生成機能と、
前記チャンネルマッピング情報に応じて前記オーディオ信号を前記オーディオ信号送信装置に接続されている外部接続機器へと送信するオーディオ信号送信機能と、
前記複数のチャンネルのそれぞれから前記オーディオ信号を受信している前記外部接続機器の個数を含む前記外部接続機器の接続状況を管理するチャンネル管理機能と、
を実現させ、
前記チャンネル管理機能は、前記外部接続機器送信情報に基づいて、前記複数のチャンネルを管理する、プログラム。
【発明の詳細な説明】
【技術分野】
【０００１】
本発明は、オーディオ信号受信装置、オーディオ信号送信装置、オーディオ信号伝送システム、オーディオ信号伝送方法およびプログラムに関する。
【背景技術】
【０００２】
近年、ホームシアターシステム等の普及や情報伝送技術の発達に伴い、オーディオ信号を複数のチャンネルを用いて伝送する技術が盛んに用いられるようになった。かかるホームシアターシステムにおいては、オーディオ信号を送信する側の装置（以下、オーディオ信号送信装置とも称する。）と、オーディオ信号を受信する側の装置（以下、オーディオ信号受信装置とも称する。）とは、各種の接続コードを用いて接続されることが多い。
【０００３】
ここで、ホームシアターシステムを構成する複数のスピーカーのレイアウトの自由度を高めるために、送信側の装置と、受信側の装置であるスピーカーとを、接続コードを用いることなく、いわゆるワイヤレスで接続する試みがなされている。
【０００４】
かかるワイヤレス接続を実現するために、赤外線を用いてオーディオ信号を伝送する方法が開示されている（例えば、特許文献１参照）。
【０００５】
【特許文献１】特開２００７−２７９２８号公報
【発明の開示】
【発明が解決しようとする課題】
【０００６】
しかしながら、上記特許文献１に記載の方法では、信号の伝送に用いる帯域が赤外線領域であるために、送信側の装置と受信側の装置との間に障害物が存在すると、オーディオ信号の伝送ができないという問題があった。
【０００７】
また、従来、オーディオ信号受信装置（子機）は、オーディオ信号送信装置（親機）から送信されたオーディオ信号を受信するのみであり、ユーザは、オーディオ信号受信装置を操作することでオーディオ信号送信装置に対して何らかの操作（例えば、送信しているオーディオ信号の切り替え操作等）を行うことはできなかった。
【０００８】
そこで、本発明は、このような問題に鑑みてなされたもので、その目的は、オーディオ信号を受信している子機を操作することで、親機が送信しているオーディオ信号を切り替えることが可能な、新規かつ改良されたオーディオ信号受信装置、オーディオ信号送信装置、オーディオ信号伝送システム、オーディオ信号伝送方法およびプログラムを提供することにある。
【課題を解決するための手段】
【０００９】
上記課題を解決するために、本発明のある観点によれば、複数のチャンネルを介して外部接続機器より送信されたオーディオ信号を受信するオーディオ信号受信装置であって、前記外部接続機器が送信する前記オーディオ信号の種別を表すチャンネルマッピング情報を含む接続管理情報を前記外部接続機器から受信する接続管理情報受信部と、前記チャンネルマッピング情報に基づいて前記外部接続機器における前記オーディオ信号の送信方式を判別するオーディオ信号送信方式判別部と、前記チャンネルマッピング情報に基づいて、前記外部接続機器から前記オーディオ信号を受信するオーディオ信号受信部と、送信される前記オーディオ信号の変更要求を前記外部接続機器に通知する取得希望信号通知部と、を備え、受信する前記オーディオ信号を変更する際、前記オーディオ信号の送信方式が、前記複数のチャンネルのうちの少なくとも１のチャンネルに、単一の音源から取得した複数のオーディオ信号に含まれるサラウンド信号を割り当てて送信する第１の送信方式であった場合、前記取得希望信号通知部は、前記外部接続機器に対して、前記一つの音源から取得したオーディオ信号を送信するチャンネルにて送信される前記オーディオ信号の変更要求を通知し、受信する前記オーディオ信号を変更する際、前記オーディオ信号の送信方式が、複数の音源から取得したオーディオ信号をそれぞれの前記音源ごとに前記複数のチャンネルに割り当てて送信する第２の送信方式であった場合、前記オーディオ信号受信部は、前記外部接続機器から受信する前記オーディオ信号の前記チャンネルを変更するオーディオ信号受信装置が提供される。
【００１０】
前記接続管理情報受信部は、前記オーディオ信号受信部が接続可能な前記チャンネルに関するチャンネル情報を前記外部接続機器から受信し、前記オーディオ信号受信部は、前記チャンネルマッピング情報および前記チャンネル情報に基づいて、前記オーディオ信号を取得してもよい。
【００１１】
受信する前記オーディオ信号を変更する際、前記オーディオ信号受信部が前記複数のチャンネルで送信されている前記オーディオ信号を全て確認した後に、前記取得希望信号通知部は、前記外部接続機器に対して通信を行い、前記外部接続機器が未だ送信していないオーディオ信号の存非を確認し、前記未だ送信していないオーディオ信号が存在する場合には、前記取得希望信号通知部は、前記外部接続機器に対して、前記複数のチャンネルにて送信される前記オーディオ信号の変更要求を通知し、前記未だ送信していないオーディオ信号が存在しない場合には、前記オーディオ信号受信部は、前記外部接続機器から受信する前記オーディオ信号の前記チャンネルを変更してもよい。
【００１２】
上記課題を解決するために、本発明の別の観点によれば、オーディオ信号を複数のチャンネルを介して外部接続機器へと送信するオーディオ信号送信装置であって、前記複数のチャンネルそれぞれで送信している前記オーディオ信号の種別を表すチャンネルマッピング情報を含む接続管理情報を、前記オーディオ信号送信装置に接続されている前記外部接続機器へと送信する接続管理情報送信部と、前記外部接続機器から送信された外部接続機器送信情報を受信する外部接続機器送信情報取得部と、前記外部接続機器送信情報に基づいて、当該外部接続機器送信情報を反映した前記チャンネルマッピング情報を生成するチャンネルマッピング情報生成部と、前記チャンネルマッピング情報に応じて前記オーディオ信号を前記オーディオ信号送信装置に接続されている外部接続機器へと送信するオーディオ信号送信部と、を備えるオーディオ信号送信装置が提供される。
【００１３】
前記オーディオ信号送信装置は、前記複数のチャンネルのそれぞれから前記オーディオ信号を受信している前記外部接続機器の個数を含む前記外部接続機器の接続状況を管理するチャンネル管理部を更に備えてもよい。
【００１４】
前記オーディオ信号送信装置は、前記外部接続機器から送信された外部接続機器送信情報を受信する外部接続機器送信情報取得部を更に備え、前記チャンネル管理部は、
前記外部接続機器送信情報に基づいて、前記複数のチャンネルを管理してもよい。
【００１５】
前記チャンネルマッピング情報生成部は、各前記チャンネルから前記オーディオ信号を受信している前記外部接続機器の個数を、前記チャンネル管理部より取得し、前記オーディオ信号を受信している前記外部接続機器の個数が少ない前記チャンネルの前記チャンネルマッピング情報を更新してもよい。
【００１６】
送信可能な前記オーディオ信号が前記チャンネル数よりも多く、前記外部接続機器送信情報取得部が前記外部接続機器より前記オーディオ信号の変更要求を取得した場合に、前記チャンネルマッピング情報生成部は、前記チャンネルマッピング情報を更新して未送信の前記オーディオ信号を前記複数のチャンネルのいずれか一つに割り当ててもよい。
【００１７】
前記接続管理情報送信部は、前記外部接続機器が接続可能な前記チャンネルに関するチャンネル情報を更に含む前記接続管理情報を、前記外部接続機器に送信してもよい。
【００１８】
前記オーディオ信号送信装置における前記オーディオ信号の送信方式が、複数の音源から取得したオーディオ信号を前記複数のチャンネルで送信する方式であった場合に、前記チャンネルマッピング情報生成部は、前記外部接続機器送信情報取得部が前記外部接続機器より前記オーディオ信号の変更要求を取得した後に、前記チャンネルマッピング情報を変更してもよい。
【００１９】
上記課題を解決するために、本発明の更に別の観点によれば、オーディオ信号を複数のチャンネルを介して外部接続機器へと送信するオーディオ信号送信装置と、前記オーディオ信号送信装置から送信された前記オーディオ信号を受信するオーディオ信号受信装置と、備えるオーディオ信号伝送システムであって、前記オーディオ信号送信装置は、前記複数のチャンネルそれぞれで送信している前記オーディオ信号の種別を表すチャンネルマッピング情報を含む接続管理情報を、前記オーディオ信号送信装置に接続されている前記オーディオ信号受信装置を含む前記外部接続機器へと送信する接続管理情報送信部と、前記外部接続機器から送信された外部接続機器送信情報を受信する外部接続機器送信情報取得部と、前記外部接続機器送信情報に基づいて、当該外部接続機器送信情報を反映した前記チャンネルマッピング情報を生成するチャンネルマッピング情報生成部と、前記チャンネルマッピング情報に応じて前記オーディオ信号を前記オーディオ信号送信装置に接続されている外部接続機器へと送信するオーディオ信号送信部と、を備え、前記オーディオ信号受信装置は、前記外部接続機器が送信する前記オーディオ信号の種別を表すチャンネルマッピング情報を含む接続管理情報を前記外部接続機器から受信する接続管理情報受信部と、前記チャンネルマッピング情報に基づいて前記外部接続機器における前記オーディオ信号の送信方式を判別するオーディオ信号送信方式判別部と、前記チャンネルマッピング情報に基づいて、前記外部接続機器から前記オーディオ信号を受信するオーディオ信号受信部と、送信される前記オーディオ信号の変更要求を前記外部接続機器に通知する取得希望信号通知部と、を備え、受信する前記オーディオ信号を変更する際、前記オーディオ信号の送信方式が、前記複数のチャンネルのうちの少なくとも１のチャンネルに、単一の音源から取得した複数のオーディオ信号に含まれるサラウンド信号を割り当てて送信する第１の送信方式であった場合、前記取得希望信号通知部は、前記オーディオ信号送信装置に対して、前記一つの音源から取得したオーディオ信号を送信するチャンネルにて送信される前記オーディオ信号の変更要求を通知し、受信する前記オーディオ信号を変更する際、前記オーディオ信号の送信方式が、複数の音源から取得したオーディオ信号をそれぞれの前記音源ごとに前記複数のチャンネルに割り当てて送信する第２の送信方式であった場合、前記オーディオ信号受信部は、前記オーディオ信号送信装置から受信する前記オーディオ信号の前記チャンネルを変更するオーディオ信号伝送システムが提供される。
【００２０】
上記課題を解決するために、本発明の更に別の観点によれば、オーディオ信号を複数のチャンネルを介して外部接続機器へと送信するオーディオ信号送信装置と、前記オーディオ信号送信装置から送信された前記オーディオ信号を受信するオーディオ信号受信装置と、備えるオーディオ信号伝送システムでオーディオ信号を伝送するオーディオ信号伝送方法であって、前記複数のチャンネルそれぞれで送信している前記オーディオ信号の種別を表すチャンネルマッピング情報を含む接続管理情報を、前記オーディオ信号送信装置に接続されている前記オーディオ信号受信装置を含む外部接続機器へと送信するステップと、前記チャンネルマッピング情報に応じて前記オーディオ信号を前記オーディオ信号送信装置に接続されている外部接続機器へと送信するステップと、前記オーディオ信号送信装置が前記外部接続機器より前記オーディオ信号の変更要求を取得した場合に、前記チャンネルマッピング情報を変更するステップと、を含むオーディオ信号伝送方法が提供される。
【００２１】
上記課題を解決するために、本発明の更に別の観点によれば、コンピュータを、複数のチャンネルを介して外部接続機器より送信されたオーディオ信号を受信するオーディオ信号受信装置として機能させるためのプログラムであって、前記外部接続機器が送信する前記オーディオ信号の種別を表すチャンネルマッピング情報を含む接続管理情報を前記外部接続機器から受信する接続管理情報受信機能と、前記チャンネルマッピング情報に基づいて前記外部接続機器における前記オーディオ信号の送信方式を判別するオーディオ信号送信方式判別機能と、前記チャンネルマッピング情報に基づいて、前記外部接続機器から前記オーディオ信号を受信するオーディオ信号受信機能と、送信される前記オーディオ信号の変更要求を前記外部接続機器に通知する取得希望信号通知機能と、を実現するためのプログラムが提供される。
【００２２】
かかる構成によれば、コンピュータプログラムは、コンピュータが備える記憶部に格納され、コンピュータが備えるＣＰＵに読み込まれて実行されることにより、そのコンピュータを上記のオーディオ信号受信装置として機能させる。また、コンピュータプログラムが記録された、コンピュータで読み取り可能な記録媒体も提供することができる。記録媒体は、例えば、磁気ディスク、光ディスク、光磁気ディスク、フラッシュメモリなどである。また、上記のコンピュータプログラムは、記録媒体を用いずに、例えばネットワークを介して配信してもよい。
【００２３】
上記課題を解決するために、本発明の更に別の観点によれば、コンピュータを、オーディオ信号を複数のチャンネルを介して外部接続機器へと送信するオーディオ信号送信装置として機能させるためのプログラムであって、前記複数のチャンネルそれぞれで送信している前記オーディオ信号の種別を表すチャンネルマッピング情報を含む接続管理情報を、前記オーディオ信号送信装置に接続されている前記外部接続機器へと送信する接続管理情報送信機能と、前記外部接続機器から送信された外部接続機器送信情報を受信する外部接続機器送信情報取得機能と、前記外部接続機器送信情報に基づいて、当該外部接続機器送信情報を反映した前記チャンネルマッピング情報を生成するチャンネルマッピング情報生成機能と、前記チャンネルマッピング情報に応じて前記オーディオ信号を前記オーディオ信号送信装置に接続されている外部接続機器へと送信するオーディオ信号送信機能と、を実現するためのプログラムが提供される。
【００２４】
かかる構成によれば、コンピュータプログラムは、コンピュータが備える記憶部に格納され、コンピュータが備えるＣＰＵに読み込まれて実行されることにより、そのコンピュータを上記のオーディオ信号送信装置として機能させる。また、コンピュータプログラムが記録された、コンピュータで読み取り可能な記録媒体も提供することができる。記録媒体は、例えば、磁気ディスク、光ディスク、光磁気ディスク、フラッシュメモリなどである。また、上記のコンピュータプログラムは、記録媒体を用いずに、例えばネットワークを介して配信してもよい。
【発明の効果】
【００２５】
本発明によれば、親機であるオーディオ信号送信装置と子機であるオーディオ信号受信装置とは、オーディオ信号の送受信に加えて、親機−子機間で双方向データ通信が可能となるため、オーディオ信号を受信している子機を操作することで、親機が送信しているオーディオ信号を切り替えることが可能である。
【発明を実施するための最良の形態】
【００２６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２７】
（第１の実施形態）
＜オーディオ信号伝送システム１について＞
まず、図１を参照しながら、本発明の第１の実施形態に係るオーディオ信号伝送システム１について、詳細に説明する。図１は、本実施形態に係るオーディオ信号伝送システム１を説明するための説明図である。
【００２８】
図１に示したように、本実施形態に係るオーディオ信号伝送システム１は、オーディオ信号送信装置１０と、オーディオ信号受信装置２０と、を備える。
【００２９】
オーディオ信号送信装置１０は、オーディオ信号受信装置２０に対して、オーディオ信号を無線伝送するとともに、オーディオ信号受信装置２０から送信される各種の情報を受信する。オーディオ信号送信装置１０は、無線伝送するオーディオ信号を、例えばＤＶＤプレーヤーやＢｌｕ−ｒａｙディスク（以下、ＢＤと略記する。）プレーヤー等のオーディオ信号出力装置１２から取得してもよく、オーディオ信号送信装置１０自体が、上記のオーディオ信号出力装置の機能を有していてもよい。オーディオ信号送信装置１０およびオーディオ信号受信装置２０は、オーディオ信号の送信や各種情報の双方向データ通信を、例えばラジオ波の帯域を用いて行う。そのため、オーディオ信号送信装置１０およびオーディオ信号受信装置２０は、図１に示したように、同一の部屋の中に配置されていてもよく、異なる部屋に分かれて配置されていてもよい。
【００３０】
オーディオ信号受信装置２０は、オーディオ信号送信装置１０が送信するオーディオ信号を受信するとともに、オーディオ信号送信装置１０に対して、オーディオ信号受信装置２０の接続に関する情報や、送信されるオーディオ信号の変更希望通知等の各種の情報を送信する。オーディオ信号受信装置２０は、図１のＲＯＯＭ１に示したように、オーディオ信号送信装置１０にワイヤレス接続されるサラウンドスピーカー群であってもよく、図１のＲＯＯＭ２に示したように、オーディオ信号送信装置１０から送信されたオーディオ信号を出力するオーディオコンポ等のようなオーディオ信号出力装置であってもよい。また、オーディオ信号受信装置２０は、例えばヘッドホンやイヤホンのようなオーディオ信号取得装置であってもよい。
【００３１】
本実施形態に係るオーディオ信号伝送システム１では、オーディオ信号送信装置１０は、所定の時間間隔で当該オーディオ信号送信装置１０に接続されているオーディオ信号受信装置２０の有無を確認し、オーディオ信号受信装置２０は、当該オーディオ信号受信装置２０にヘッドホン等の新たな外部接続機器が接続されるなどして、オーディオ信号の出力状況が変化した場合や、オーディオ信号受信装置２０に対してユーザが何らかの操作を実行した場合には、その旨を表す情報をオーディオ信号送信装置１０に対して送信する。そのため、オーディオ信号送信装置１０は、オーディオ信号受信装置２０において行われた各種の操作を自動的に認識することが可能となる。また、オーディオ信号送信装置１０とオーディオ信号受信装置２０との間は、双方向データ通信が可能であるため、オーディオ信号受信装置２０を操作して、オーディオ信号送信装置１０の動作状態を変更することが可能となる。
【００３２】
なお、上述の説明では、オーディオ信号送信装置１０とオーディオ信号受信装置２０とは、例えば所定帯域の無線（ラジオ波等）を介してワイヤレス接続されている場合について説明したが、上述の場合に限定されるわけではない。例えば、オーディオ信号送信装置１０とオーディオ信号受信装置２０とは、高速電力線通信（Ｐｏｗｅｒ  Ｌｉｎｅ  Ｃｏｍｍｕｎｉｃａｔｉｏｎｓ：ＰＬＣ）等で接続されていてもよい。
【００３３】
＜オーディオ信号送信装置１０のハードウェア構成について＞
続いて、図２を参照しながら、本実施形態に係るオーディオ信号送信装置１０のハードウェア構成について、詳細に説明する。図２は、本実施形態に係るオーディオ信号送信装置１０のハードウェア構成を説明するためのブロック図である。
【００３４】
図２に示したように、本実施形態に係るオーディオ信号送信装置１０は、ＣＰＵ（Ｃｅｎｔｒａｌ  Ｐｒｏｃｅｓｓｉｎｇ  Ｕｎｉｔ）１０１と、ＲＯＭ（Ｒｅａｄ  Ｏｎｌｙ  Ｍｅｍｏｒｙ）１０３と、ＲＡＭ（Ｒａｎｄｏｍ  Ａｃｃｅｓｓ  Ｍｅｍｏｒｙ）１０５と、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）１０７と、入力インターフェース（Ｉ／Ｆ）１０９と、表示インターフェース（Ｉ／Ｆ）１１３と、外部機器通信部１２１と、を備える。
【００３５】
また、外部機器通信部１２１には、ＤＳＰ（Ｄｉｇｉｔａｌ  Ｓｉｇｎａｌ  Ｐｒｏｃｅｓｓｏｒ）１２３が接続される。
【００３６】
ＣＰＵ１０１は、演算処理装置および制御装置として機能し、ＲＯＭ１０３、ＲＡＭ１０５、ＥＥＰＲＯＭ１０７等に記録された各種プログラムに従って、オーディオ信号送信装置１０内の動作全般またはその一部を制御する。ＲＯＭ１０３およびＥＥＰＲＯＭ１０７は、ＣＰＵ１０１が使用するプログラムや演算パラメータ等を記憶する。ＲＡＭ１０５は、ＣＰＵ１０１の実行において使用するプログラムや、その実行において適宜変化するパラメータ等を一次記憶する。これらはＣＰＵバス等の内部バスにより構成されるホストバスおよびＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バスから構成されるシステムバス１１７により、相互に接続されている。
【００３７】
入力インターフェース１０９は、キー操作部１１１を用いてユーザにより入力された情報に基づいて入力信号を生成し、ＣＰＵ１０１に出力する入力制御回路などから構成されているインターフェースである。オーディオ信号送信装置１０のユーザは、以下で説明するキー操作部１１１を操作することにより、オーディオ信号送信装置１０に対して各種のデータを入力したり処理動作を指示したりすることができる。
【００３８】
キー操作部１１１は、オーディオ信号送信装置１０に対して各種のデータを入力したり処理動作を指示したりする操作部である。キー操作部１１１は、例えば、マウス、キーボード、タッチパネル、ボタン、スイッチおよびレバーなどユーザが操作する操作手段である。また、キー操作部１１１は、例えば、赤外線やその他の電波を利用したリモートコントロール手段（いわゆる、リモコン）であってもよいし、オーディオ信号送信装置１０の操作に対応した携帯電話やＰＤＡ等の外部接続機器であってもよい。
【００３９】
表示インターフェース１１３は、ＣＰＵ１０１から出力された出力信号を、後述する表示部１１５へと伝送するためのインターフェースである。表示部１１５は、例えば、ＣＲＴディスプレイ装置、液晶ディスプレイ装置、プラズマディスプレイ装置、ＥＬディスプレイ装置およびランプなどの表示装置など、各種情報をユーザに対して視覚的に通知することが可能な装置で構成される。
【００４０】
外部機器通信部１２１は、例えば、オーディオ信号受信装置２０や、各種のオーディオ信号出力装置等と通信するための通信デバイス等で構成された通信インターフェースである。この外部機器通信部１２１は、一般的なワイヤレスオーディオ伝送規格に則ったインターフェースであってもよく、特定のワイヤレスオーディオ伝送規格に則ったインターフェースであってもよい。本実施形態に係るオーディオ信号送信装置１０は、この外部機器通信部１２１を介して、オーディオ信号受信装置２０に対してオーディオ信号を送信するとともに、オーディオ信号受信装置２０と双方向データ通信を行う。
【００４１】
ＤＳＰ１２３は、オーディオ信号や画像信号に対する各種処理に特化したＣＰＵである。このＤＳＰ１２３には、送信に用いられるオーディオ信号が入力されるオーディオ信号入力部１２５と、取得したオーディオ信号が出力されるオーディオ信号出力部１３７とが接続される。
【００４２】
オーディオ信号入力部１２５は、本実施形態に係るオーディオ信号送信装置１０が送信に用いるオーディオ信号が入力される処理部である。オーディオ信号入力部１２５は、例えば、ＣＤ／ＤＶＤ／ＢＤ１２７や、ＭＤ（Ｍｉｎｉ  Ｄｉｓｋ）等のデジタル機器が接続されるデジタル入力１２９や、チューナー（ＴＵＮＥＲ）１３１や、カセットテープやレコード等のアナログ機器が接続されるアナログ入力１３３等から構成される。また、チューナー１３１およびアナログ入力１３３から入力されたオーディオ信号は、ＡＤ変換部１３５によりアナログ信号からデジタル信号へと変換される。かかるオーディオ信号入力部１２５より入力されたオーディオ信号が、ＤＳＰ１２３および外部機器通信部１２１を介してオーディオ信号受信装置２０へと送信される。
【００４３】
オーディオ信号出力部１３７は、オーディオ信号入力部１２５から入力されたオーディオ信号を、オーディオ信号送信装置１０の外部に出力する処理部である。オーディオ信号出力部１３７は、例えば、デジタル信号であるオーディオ信号をアナログ信号へと変換するＤＡ変換部（図示せず。）と、アナログ信号に変換されたオーディオ信号を増幅する増幅部（図示せず。）と、増幅されたオーディオ信号が出力されるスピーカー（図示せず。）等から構成される。
【００４４】
また、本実施形態に係るオーディオ信号送信装置１０は、上記構成の他に、例えば、ストレージ装置（図示せず。）や、ドライブ（図示せず。）等を備えていてもよい。
【００４５】
ストレージ装置は、本実施形態にかかるオーディオ信号送信装置１０の記憶部の一例として構成されたデータ格納用の装置であり、例えば、ＨＤＤ（Ｈａｒｄ  Ｄｉｓｋ  Ｄｒｉｖｅ）等の磁気記憶部デバイス、半導体記憶デバイス、光記憶デバイス、または光磁気記憶デバイス等により構成される。このストレージ装置は、ＣＰＵ１０１が実行するプログラムや各種データ、および外部から取得したオーディオ信号などを格納することが可能である。
【００４６】
ドライブは、記憶媒体用リーダライタであり、オーディオ信号送信装置１０に内蔵、あるいは外付けされる。ドライブは、装着されている磁気ディスク、光ディスク、光磁気ディスク、または半導体メモリ等のリムーバブル記録媒体に記録されている情報を読み出して、ＲＡＭ１０５に出力する。また、ドライブは、装着されている磁気ディスク、光ディスク、光磁気ディスク、または半導体メモリ等のリムーバブル記録媒体に記録を書き込むことも可能である。リムーバブル記録媒体は、例えば、ＤＶＤメディア、ＨＤ−ＤＶＤメディア、Ｂｌｕ−ｒａｙメディア、コンパクトフラッシュ（登録商標）（ＣｏｍｐａｃｔＦｌａｓｈ：ＣＦ）、メモリースティック、または、ＳＤメモリカード（Ｓｅｃｕｒｅ  Ｄｉｇｉｔａｌ  ｍｅｍｏｒｙ  ｃａｒｄ）等である。また、リムーバブル記録媒体は、例えば、非接触型ＩＣチップを搭載したＩＣカード（Ｉｎｔｅｇｒａｔｅｄ  Ｃｉｒｃｕｉｔ  ｃａｒｄ）または電子機器等であってもよい。
【００４７】
以上説明した構成により、オーディオ信号送信装置１０は、多様なオーディオ信号出力源からオーディオ信号を取得し、外部機器通信部１２１を介して、オーディオ信号受信装置２０に対してオーディオ信号を送信することが可能になるとともに、オーディオ信号受信装置２０と双方向データ通信を行うことができる。
【００４８】
以上、本実施形態に係るオーディオ信号送信装置１０の機能を実現可能なハードウェア構成の一例を示した。上記の各構成要素は、汎用的な部材を用いて構成されていてもよいし、各構成要素の機能に特化したハードウェアにより構成されていてもよい。従って、本実施形態を実施する時々の技術レベルに応じて、適宜、利用するハードウェア構成を変更することが可能である。
【００４９】
＜オーディオ信号受信装置２０のハードウェア構成について＞
続いて、図３を参照しながら、本実施形態に係るオーディオ信号受信装置２０のハードウェア構成について、詳細に説明する。図３は、本実施形態に係るオーディオ信号受信装置２０のハードウェア構成を説明するためのブロック図である。
【００５０】
図３に示したように、本実施形態に係るオーディオ信号受信装置２０は、ＣＰＵ２０１と、ＲＯＭ２０３と、ＲＡＭ２０５と、ＥＥＰＲＯＭ２０７と、入力インターフェース（Ｉ／Ｆ）２０９と、表示インターフェース（Ｉ／Ｆ）２１３と、外部機器通信部２２１と、を備える。
【００５１】
また、外部機器通信部２２１には、受信したオーディオ信号を出力するオーディオ信号出力部２２３が接続される。
【００５２】
ＣＰＵ２０１は、演算処理装置および制御装置として機能し、ＲＯＭ２０３、ＲＡＭ２０５、ＥＥＰＲＯＭ２０７等に記録された各種プログラムに従って、オーディオ信号受信装置２０内の動作全般またはその一部を制御する。ＲＯＭ２０３およびＥＥＰＲＯＭ２０７は、ＣＰＵ２０１が使用するプログラムや演算パラメータ等を記憶する。ＲＡＭ２０５は、ＣＰＵ２０１の実行において使用するプログラムや、その実行において適宜変化するパラメータ等を一次記憶する。これらはＣＰＵバス等の内部バスにより構成されるホストバスおよびＰＣＩバスなどの外部バスから構成されるシステムバス２１７により、相互に接続されている。
【００５３】
入力インターフェース２０９は、キー操作部２１１を用いてユーザにより入力された情報に基づいて入力信号を生成し、ＣＰＵ２０１に出力する入力制御回路などから構成されているインターフェースである。オーディオ信号受信装置２０のユーザは、以下で説明するキー操作部２１１を操作することにより、オーディオ信号受信装置２０に対して各種のデータを入力したり処理動作を指示したりすることができる。
【００５４】
キー操作部２１１は、オーディオ信号受信装置２０に対して各種のデータを入力したり処理動作を指示したりする操作部である。キー操作部２１１は、例えば、マウス、キーボード、タッチパネル、ボタン、スイッチおよびレバーなどユーザが操作する操作手段である。また、キー操作部２１１は、例えば、赤外線やその他の電波を利用したリモートコントロール手段（いわゆる、リモコン）であってもよいし、オーディオ信号受信装置２０の操作に対応した携帯電話やＰＤＡ等の外部接続機器であってもよい。
【００５５】
表示インターフェース２１３は、ＣＰＵ２０１から出力された出力信号を、後述する表示部２１５へと伝送するためのインターフェースである。表示部２１５は、例えば、ＣＲＴディスプレイ装置、液晶ディスプレイ装置、プラズマディスプレイ装置、ＥＬディスプレイ装置およびランプなどの表示装置など、各種情報をユーザに対して視覚的に通知することが可能な装置で構成される。
【００５６】
外部機器通信部２２１は、例えば、オーディオ信号送信装置１０や、各種のオーディオ信号出力装置等と通信するための通信デバイス等で構成された通信インターフェースである。この外部機器通信部２２１は、一般的なワイヤレスオーディオ伝送規格に則ったインターフェースであってもよく、特定のワイヤレスオーディオ伝送規格に則ったインターフェースであってもよい。本実施形態に係るオーディオ信号受信装置２０は、この外部機器通信部２２１を介して、オーディオ信号送信装置１０からオーディオ信号を受信するとともに、オーディオ信号送信装置１０と双方向データ通信を行う。
【００５７】
オーディオ信号出力部２２３は、オーディオ信号送信装置１０から送信されたオーディオ信号を出力する処理部である。オーディオ信号出力部２２３は、図３に示したように、例えば、ＤＡ変換部２２５と、増幅部２２７と、スピーカー２２９と、から構成される。
【００５８】
ＤＡ変換部２２５は、受信したオーディオ信号をデジタル信号からアナログ信号へと変換する。アナログ信号に変換されたオーディオ信号は、増幅部２２７により増幅され、スピーカー２２９から出力される。
【００５９】
また、本実施形態に係るオーディオ信号受信装置２０は、本実施形態に係るオーディオ信号送信装置１０が備えるＤＳＰやオーディオ信号入力部を備えていてもよい。更に、オーディオ信号受信装置２０は、上記構成の他に、例えば、ストレージ装置（図示せず。）や、ドライブ（図示せず。）等を備えていてもよい。
【００６０】
ストレージ装置は、本実施形態にかかるオーディオ信号受信装置２０の記憶部の一例として構成されたデータ格納用の装置であり、例えば、ＨＤＤ（Ｈａｒｄ  Ｄｉｓｋ  Ｄｒｉｖｅ）等の磁気記憶部デバイス、半導体記憶デバイス、光記憶デバイス、または光磁気記憶デバイス等により構成される。このストレージ装置は、ＣＰＵ２０１が実行するプログラムや各種データ、および外部から取得したオーディオ信号などを格納することが可能である。
【００６１】
ドライブは、記憶媒体用リーダライタであり、オーディオ信号受信装置２０に内蔵、あるいは外付けされる。ドライブは、装着されている磁気ディスク、光ディスク、光磁気ディスク、または半導体メモリ等のリムーバブル記録媒体に記録されている情報を読み出して、ＲＡＭ２０５に出力する。また、ドライブは、装着されている磁気ディスク、光ディスク、光磁気ディスク、または半導体メモリ等のリムーバブル記録媒体に記録を書き込むことも可能である。リムーバブル記録媒体は、例えば、ＤＶＤメディア、ＨＤ−ＤＶＤメディア、Ｂｌｕ−ｒａｙメディア、コンパクトフラッシュ（登録商標）、メモリースティック、または、ＳＤメモリカード等である。また、リムーバブル記録媒体は、例えば、非接触型ＩＣチップを搭載したＩＣカードまたは電子機器等であってもよい。
【００６２】
以上説明した構成により、オーディオ信号受信装置２０は、外部機器通信部２２１を介して、オーディオ信号送信装置１０からオーディオ信号を取得することが可能になるとともに、オーディオ信号送信装置１０と双方向データ通信を行うことができる。
【００６３】
以上、本実施形態に係るオーディオ信号受信装置２０の機能を実現可能なハードウェア構成の一例を示した。上記の各構成要素は、汎用的な部材を用いて構成されていてもよいし、各構成要素の機能に特化したハードウェアにより構成されていてもよい。従って、本実施形態を実施する時々の技術レベルに応じて、適宜、利用するハードウェア構成を変更することが可能である。
【００６４】
＜オーディオ信号送信装置１０の構成について＞
続いて、図４を参照しながら、本実施形態に係るオーディオ信号送信装置１０の構成について、詳細に説明する。図４は、本実施形態に係るオーディオ信号送信装置１０の構成について説明するためのブロック図である。
【００６５】
図４に示したように、本実施形態に係るオーディオ信号送信装置１０は、受信装置稼動状況確認部１５１と、受信装置送信情報取得部１５３と、チャンネル管理部１５５と、接続管理情報送信部１５７と、チャンネルマッピング情報生成部１５９と、記憶部１６１と、送信オーディオ信号取得部１６３と、オーディオ信号送信部１６５と、を主に備える。
【００６６】
外部機器送信情報取得部の一例である受信装置稼動状況確認部１５１は、例えば、ＣＰＵ、ＲＯＭ、ＲＡＭ、ＥＥＰＲＯＭ、外部機器通信部等から構成され、オーディオ信号送信装置１０に接続可能なオーディオ信号受信装置２０の有無や稼動状態を確認する。具体的には、受信装置稼働状況確認部１５１は、所定の時間間隔ごと（例えば、１分ごと）に、オーディオ信号受信装置２０の稼動状態を確認する稼動状態確認信号をすべてのオーディオ信号受信装置２０に対して送信し、どのオーディオ信号受信装置２０から返信があるかを確認する。受信装置稼動状況確認部１５１は、返信のあったオーディオ信号受信装置２０を稼動状態にあると判断し、結果を後述するチャンネル管理部１５３に対して出力する。また、稼動状態にあるオーディオ信号受信装置２０に関しては、オーディオ信号を伝送している複数のチャンネルのうち、いずれのチャンネルに割り当てられているオーディオ信号を受信しているのかを確認し、結果をチャンネル管理部１５３に対して出力する。
【００６７】
外部機器送信情報取得部の一例である受信装置送信情報取得部１５３は、例えば、ＣＰＵ、ＲＯＭ、ＲＡＭ、ＥＥＰＲＯＭ、外部機器通信部等から構成され、オーディオ信号受信装置２０から送信された受信装置送信情報を取得する。受信装置送信情報取得部１５３が取得する受信装置送信情報は、例えば、オーディオ信号受信装置２０の接続確立要求や、オーディオ信号受信装置２０の接続解除要求や、オーディオ信号送信装置１０から送信されているオーディオ信号の種別変更を希望する要求等がある。受信装置送信情報取得部１５３は、取得したこれらの受信装置送信情報を、後述するチャンネル管理部１５５およびチャンネルマッピング情報生成部１５９へと出力する。
【００６８】
チャンネル管理部１５５は、例えば、ＣＰＵ、ＲＯＭ、ＲＡＭ、ＥＥＰＲＯＭ等から構成され、受信装置稼動状況確認部１５１から伝送されるオーディオ信号受信装置２０の稼動状態や、受信装置送信情報取得部１５３から伝送される受信装置送信情報に基づき、オーディオ信号送信装置１０がオーディオ信号の送信に利用している複数のチャンネルのそれぞれについて、接続しているオーディオ信号受信装置２０の台数等を管理する。具体的には、チャンネル管理部１５５は、オーディオ信号受信装置２０の接続確立要求および接続解除要求や、オーディオ信号送信装置１０から送信されているオーディオ信号の種別変更を希望する要求や、オーディオ信号受信装置２０の稼動状況に応じて、チャンネルの利用状況（すなわち、各チャンネルからオーディオ信号を取得しているオーディオ信号受信装置２０の台数）を後述するチャンネルマッピング（以下、ＣＨマッピングと略記する。）情報と関連付けながら管理する。
【００６９】
ここで、上記「チャンネルマッピング情報」とは、複数のチャンネルそれぞれで送信しているオーディオ信号の種別を表す情報の集合である。このチャンネルマッピング情報は、オーディオ信号送信装置１０が利用可能なオーディオ信号の送信方式に対応して、２種類に大別することができる。ここで、オーディオ信号の送信方式とは、オーディオ信号の伝送に利用される複数のチャンネルをどのように利用してオーディオ信号を送信するかを表した方式であって、第１の送信方式と第２の送信方式の２種類が存在する。
【００７０】
第１の送信方式は、単一の音源（オーディオソース）から取得した複数のオーディオ信号に含まれるサラウンド信号を、複数のチャンネルのうちの少なくとも１のチャンネルに割り当てて送信する方式である。以下では、この第１の送信方式のことを、「サラウンドモードの送信方式」とも称する。他方、第２の送信方式は、複数の音源から取得したオーディオ信号をそれぞれの音源ごとに複数のチャンネルに割り当てて送信する方式である。以下では、この第２の送信方式のことを、「マルチソースモードの送信方式」とも称する。
【００７１】
また、オーディオ信号の種別は、例えば、ＤＶＤから取得したオーディオ信号や、デジタル入力に接続された機器から取得したオーディオ信号等のように、オーディオ信号の出所（ソース）を表すものや、サブウーファー用、サラウンドリアスピーカー用またはサラウンドバックスピーカー用のサブ音声等のように、サラウンド音声であることを表すもの等が存在する。チャンネルマッピング情報（ＣＨマッピング情報）については、以下で改めて詳細に説明する。
【００７２】
また、チャンネル管理部１５５は、オーディオ信号受信装置２０がオーディオ信号送信装置１０に接続された際には、接続が確立した旨の通知と、オーディオ信号送信装置１０が利用している送信方式とを、接続管理情報送信部１５７を介して、オーディオ信号受信装置２０に通知する。
【００７３】
接続管理情報送信部１５７は、例えば、ＣＰＵ、ＲＯＭ、ＲＡＭ、ＥＥＰＲＯＭ、外部機器通信部等から構成され、オーディオ信号送信装置１０が利用しているオーディオ信号の送信方式を表す情報や、チャンネル管理部１５５が発行する接続確立や接続解除といったオーディオ信号送信装置１０との接続状態を表す情報や、後述するＣＨマッピング情報生成部１５９により生成されたＣＨマッピング情報等を含む接続管理情報を、オーディオ信号受信装置２０等の外部接続機器へと送信する。ここで、接続管理情報とは、上述のようにオーディオ信号送信装置１０から送信されるオーディオ信号の受信や、オーディオ信号送信装置１０から通知される接続確立や接続解除等の、オーディオ信号送信装置１０との接続に関係する情報、および、オーディオ信号送信装置１０が利用しているオーディオ信号の送信方式を表す情報を意味する。接続管理情報の送信は、接続が確立されているか否かを問わずすべての外部接続機器に対して行ってもよく、接続管理情報の送信要求を通知してきた外部接続機器に対してのみ、送信を行ってもよい。また、ＣＨマッピング情報の送信に関して、接続管理情報送信部１５７は、ＣＨマッピング情報生成部１５９が生成したＣＨマッピング情報を、ＣＨマッピング情報生成部１５９からの伝送があった際に自主的に送信してもよく、外部接続機器とのデータ通信が発生した際に、新たなＣＨマッピング情報をあわせて送信してもよい。
【００７４】
ＣＨマッピング情報生成部１５９は、例えば、ＣＰＵ、ＲＯＭ、ＲＡＭ、ＥＥＰＲＯＭ等から構成され、受信装置送信情報取得部１５３からオーディオ信号の変更要求が通知された場合に、必要に応じて新たなＣＨマッピング情報の生成を行う。新たなＣＨマッピング情報の生成に際して、ＣＨマッピング情報生成部１５９は、例えば記憶部１６１に格納されている各種のデータベースや、受信装置送信情報取得部１５３およびチャンネル管理部１５５から伝送される様々な情報等を参照しながら、外部接続機器であるオーディオ信号受信装置２０の接続状況の変化や、オーディオ信号受信装置２０からの様々な要求を反映するように、ＣＨマッピング情報を動的に生成する。生成された新たなＣＨマッピング情報は、チャンネル管理部１５５、接続管理情報送信部１５７およびオーディオ信号送信部１６５へと出力される。また、新たに生成されたＣＨマッピング情報は、記憶部１６１に記録されてもよい。
【００７５】
記憶部１６１は、例えば、オーディオ信号送信装置１０が利用可能なオーディオ信号の送信方式に関する情報や、ＣＨマッピング情報を構成するオーディオ信号の種別等が記録されているデータベースや、オーディオ信号受信装置２０に対して送信しうる各種送信情報や、本実施形態に係るオーディオ信号送信装置１０が利用する各種プログラムや処理方法等が格納される。また、記憶部１６１には、オーディオ信号そのものが記録されてもよい。
【００７６】
さらに、記憶部１６１は、上記データベースやプログラム以外にも、オーディオ信号送信装置１０が、何らかの処理を行う際に保存する必要が生じた様々なパラメータや処理の途中経過等を、適宜記憶することが可能である。この記憶部１６１は、受信装置稼動状況確認部１５１、受信装置送信情報取得部１５３、チャンネル管理部１５５、接続管理情報送信部１５７、ＣＨマッピング情報生成部１５９、送信オーディオ信号取得部１６３、オーディオ信号送信部１６５等のオーディオ信号送信装置１０を構成する各処理部が、自由に読み書きを行うことが可能である。
【００７７】
送信オーディオ信号取得部１６３は、例えば、ＣＰＵ、ＲＯＭ、ＲＡＭ、ＥＥＰＲＯＭ、外部機器通信部等から構成され、オーディオ信号出力装置１２から出力されるオーディオ信号を取得して、オーディオ信号受信装置２０へと送信するオーディオ信号とする。また、送信オーディオ信号取得部１６３は、記憶部１６１にオーディオ信号が記録されている場合には、記録部１６１からオーディオ信号を取得することも可能である。送信オーディオ信号取得部１６３が取得したオーディオ信号は、後述するオーディオ信号送信部１６５へと伝送される。また、送信オーディオ信号取得部１６３が取得したオーディオ信号は、記憶部１６１に保存されてもよい。
【００７８】
オーディオ信号送信部１６５は、例えば、ＣＰＵ、ＲＯＭ、ＲＡＭ、ＥＥＰＲＯＭ、ＤＳＵ、外部機器通信部等から構成され、ＣＨマッピング情報生成部１５９から伝送されたＣＨマッピング情報に基づいて、オーディオ信号を各チャンネルに分配し、オーディオ信号受信装置２０へと送信する。また、ＣＨマッピング情報に記載されている各チャンネルにおけるオーディオ信号の種別（オーディオ信号の属性）に適応させるために、送信予定のオーディオ信号に対して変換を行う必要がある場合には、オーディオ信号送信部１６５は、送信予定のオーディオ信号に対して所定の変換処理を施し、変換後のオーディオ信号を送信する。ここで、上記の変換処理とは、例えば、変換前のオーディオ信号が、５．１チャンネルに対応したオーディオ信号であった場合に、通常の２チャンネルのオーディオ信号へとダウンミックスする場合等が考えられる。
【００７９】
なお、本実施形態に係るオーディオ信号送信装置１０では、外部接続機器へのオーディオ信号の送信や、外部接続機器との双方向通信は、無線伝送により行われてもよく、ＰＬＣや有線伝送により行われてもよいが、無線伝送により行われることが好ましい。
【００８０】
以上、本実施形態に係るオーディオ信号送信装置１０の機能の一例を示した。上記の各構成要素は、汎用的な部材や回路を用いて構成されていてもよいし、各構成要素の機能に特化したハードウェアにより構成されていてもよい。また、各構成要素の機能を、ＣＰＵ等が全て行ってもよい。従って、本実施形態を実施する時々の技術レベルに応じて、適宜、利用する構成を変更することが可能である。
【００８１】
＜チャンネルマッピング情報について＞
次に、図５Ａおよび図５Ｂを参照しながら、本実施形態に係るオーディオ信号送信装置１０が生成するチャンネルマッピング情報について、詳細に説明する。図５Ａおよび図５Ｂは、本実施形態に係るチャンネルマッピング情報の一例を説明するための説明図である。
【００８２】
本実施形態に係るオーディオ信号送信装置１０が生成するＣＨマッピング情報は、少なくとも２以上のステレオ信号（換言すれば、少なくとも４チャンネルのモノラル信号）を送信可能となるような複数のチャンネル（ＣＨ）それぞれについて、各チャンネルに割り当てられるオーディオ信号の種別を表した情報の集合として規定される。
【００８３】
図５Ａおよび図５Ｂでは、４つのステレオ信号（換言すれば、８チャンネルのモノラル信号）を送信可能なチャンネルに対して割り当てられたＣＨマッピング情報の例を示している。図５Ａおよび図５Ｂでは、図から明らかなように、１つのチャンネルに対して２つのモノラル信号に対応可能な枠が設けられており、合計８種類のオーディオ信号の種別が規定されている。
【００８４】
本実施形態に係るオーディオ信号送信装置１０では、図５Ａに示すようなＣＨマッピング情報と、図５Ｂに示すようなＣＨマッピング情報の２種類のＣＨマッピング情報を生成することが可能である。
【００８５】
図５Ａに示したＣＨマッピング情報は、チャンネル１に対して１組のメインチャンネルが設定されており、チャンネル２〜チャンネル４には、メインチャンネルに付随するサブチャンネルが設定されている。ここで、メインチャンネルとは、例えばＤＶＤの主音声に対応するようなオーディオ信号のソースに対応するものであり、サブチャンネルとは、例えばＤＶＤのサラウンド音声のように、メインチャンネルに付随するオーディオ信号を意味する。
【００８６】
図５Ａに示した各サブチャンネルには、例えば、サブウーファー用のオーディオ信号や、センタースピーカー用のオーディオ信号や、サラウンドリアスピーカー用のオーディオ信号や、サラウンドバックスピーカー用のオーディオ信号やなど、様々なサブチャンネルが割当可能である。
【００８７】
図５Ａに示したような、メインチャンネルが割り当てられているチャンネルと、サブチャンネルが割り当てられているチャンネルとが混在するＣＨマッピング情報を、以下では「サラウンドモードのＣＨマッピング情報」と呼ぶ。この「サラウンドモードのＣＨマッピング情報」は、上述の「サラウンドモードの送信方式」に対応したＣＨマッピング情報である。なお、図５Ａに示したＣＨマッピング情報では、メインチャンネルが割り当てられているチャンネルは１つしか存在しないが、メインチャンネルが割り当てられているチャンネルは２以上存在してもよい。
【００８８】
他方、図５Ｂに示したＣＨマッピング情報は、４つのチャンネルそれぞれにメインチャンネルが割り当てられており、サブチャンネルが割り当てられているチャンネルは存在しない。これは、例えば、チャンネル１にはＣＤ音源が、チャンネル２にはＤＶＤ音源が、チャンネル３にはチューナーの音源が、チャンネル４にはデジタル入力の音源がそれぞれ割り当てられているような場合に相当する。
【００８９】
図５Ｂに示したような、複数のチャンネルそれぞれにメインチャンネルが割り当てられているＣＨマッピング情報を、以下では「マルチソースモードのＣＨマッピング情報」と呼ぶ。この「マルチソースモードのＣＨマッピング情報」は、上述の「マルチソースモードの送信方式」に対応したＣＨマッピング情報である。また、マルチソースモードのＣＨマッピング情報には、図５Ｂに示したように、サラウンド成分が割り当てられているチャンネルは存在しない。
【００９０】
オーディオ信号送信装置１０が上記のサラウンドモードとマルチソースモードのＣＨマッピング情報のどちらを生成可能であるか（換言すれば、サラウンドモードの送信方式と、マルチソースモードの送信方式のどちらを利用可能であるか）は、オーディオ信号送信装置１０に依存する。従って、サラウンドモード専用のオーディオ信号送信装置１０が存在してもよく、マルチソースモード専用のオーディオ信号送信装置１０が存在してもよく、両方のモードに対応可能なオーディオ信号送信装置１０が存在してもよい。
【００９１】
本実施形態に係るオーディオ信号受信装置２０は、ＣＨマッピング情報のいずれかのチャンネルに、オーディオ信号受信装置に割り振られている識別種別と一致するものが存在する場合に、一致するチャンネルに割り当てられたオーディオ信号を出力することが可能となる。
【００９２】
すなわち、オーディオ信号受信装置２０に割り振られている識別種別が「サラウンドリアスピーカー」である場合には、オーディオ信号受信装置２０は、ＣＨマッピング情報に「サラウンドリアスピーカー」という種別が記載されているオーディオ信号を出力することが可能となる。
【００９３】
＜オーディオ信号受信装置２０の構成について＞
続いて、図６を参照しながら、本実施形態に係るオーディオ信号受信装置２０の構成について、詳細に説明する。図６は、本実施形態に係るオーディオ信号受信装置２０の構成について説明するためのブロック図である。
【００９４】
図６に示したように、本実施形態に係るオーディオ信号受信装置２０は、接続情報送信部２５１と、接続管理情報受信部２５３と、オーディオ信号送信方式判定部２５５と、オーディオ信号受信部２５７と、オーディオ信号出力制御部２５９と、取得希望信号通知部２６１と、入力部２６３と、記憶部２６５と、を主に備える。
【００９５】
接続情報送信部２５１は、例えば、ＣＰＵ、ＲＯＭ、ＲＡＭ、ＥＥＰＲＯＭ、外部機器通信部等から構成され、オーディオ信号受信装置２０とオーディオ信号送信装置１０との接続状態を変更するための接続情報を、オーディオ信号送信装置１０に対して送信する。ここで、接続状態を変更するための接続情報として、例えば、オーディオ信号送信装置１０に対するオーディオ信号受信装置２０の接続確立要求や、オーディオ信号送信装置１０に対するオーディオ信号受信装置２０の接続解除要求や、オーディオ信号受信装置２０の電源のＯＮ／ＯＦＦ状態を通知する情報等を挙げることができる。
【００９６】
また、接続情報送信部２５１は、上記接続情報をオーディオ信号送信装置１０に送信する際に、オーディオ信号受信装置２０を特定する識別子等をあわせて送信してもよい。
【００９７】
接続管理情報受信部２５３は、例えば、ＣＰＵ、ＲＯＭ、ＲＡＭ、ＥＥＰＲＯＭ、外部機器通信部等から構成され、オーディオ信号送信装置１０が使用している送信方式に関する情報や、オーディオ信号送信装置１０から送信されたＣＨマッピング情報や、オーディオ信号送信装置１０の種別に関する情報や、オーディオ信号送信装置１０から通知される接続確立通知や接続解除通知等を受信する。受信した接続管理情報は、後述するオーディオ信号送信方式判別部２５５およびオーディオ信号受信部２５７へと伝送される。また、接続管理情報受信部２５３は、受信した接続管理情報を、記憶部２６５に記録してもよい。
【００９８】
オーディオ信号送信方式判別部２５５は、例えば、ＣＰＵ、ＲＯＭ、ＲＡＭ、ＥＥＰＲＯＭ等から構成され、接続管理情報受信部２５３が受信したオーディオ信号の送信方式に関する情報およびＣＨマッピング情報等を参照して、オーディオ信号受信装置２０と接続しているオーディオ信号送信装置１０で利用されているオーディオ信号の送信方式を判別する。具体的には、オーディオ信号送信方式判別部２５５は、受信したオーディオ信号の送信方式に関する情報およびＣＨマッピング情報を参照して、オーディオ信号送信装置１０がサラウンドモードの送信方式またはマルチソースモードの送信方式のどちらを利用しているのかを判別する。オーディオ信号送信方式判別部２５５は、判別結果を後述する取得希望信号通知部２６３に伝送する。また、オーディオ信号送信方式判別部２５５は、判別結果を記憶部２６５に記録して、オーディオ信号受信装置２０の各処理部が参照できるようにしてもよい。
【００９９】
オーディオ信号受信部２５７は、例えば、ＣＰＵ、ＲＯＭ、ＲＡＭ、ＥＥＰＲＯＭ、外部機器通信部等から構成され、接続管理情報受信部２５３から伝送されたＣＨマッピング情報等に基づいて、オーディオ信号送信装置１０から送信されるオーディオ信号を受信する。また、オーディオ信号受信部２５７は、受信したオーディオ信号を、記憶部２６５に記録してもよい。
【０１００】
オーディオ信号出力制御部２５９は、例えば、ＣＰＵ、ＲＯＭ、ＲＡＭ、ＥＥＰＲＯＭ等から構成され、本実施形態に係るオーディオ信号受信装置２０に設けられているオーディオ信号出力部の出力制御を行う。
【０１０１】
入力部２６１は、例えば、ＣＰＵ、ＲＯＭ、ＲＡＭ、ＥＥＰＲＯＭ、キー操作部等から構成され、ユーザがオーディオ信号受信装置２０のキー操作部（例えば、オーディオ信号の切り替えボタン）等に対して行った操作を入力信号に変換して、後述する取得希望信号通知部２６３へと通知する。ユーザがオーディオ信号受信装置２０に行う操作としては、例えば、オーディオ信号受信装置２０が出力しているオーディオ信号を変更する操作（例えば、オーディオ信号送信装置１０が送信しているＣＤ出力から、ＤＶＤ出力へと変更する操作等）を挙げることができる。
【０１０２】
取得希望信号通知部２６３は、例えば、ＣＰＵ、ＲＯＭ、ＲＡＭ、ＥＥＰＲＯＭ、外部機器通信部等から構成され、入力部２６１から伝送されたユーザ操作に関する情報を、オーディオ信号送信装置１０に対して通知する。取得希望信号の通知に際して、取得希望信号通知部２６３は、オーディオ信号送信方式判別部２５５から伝送される送信方法の判別結果に基づいて、取得希望信号に関する情報をオーディオ信号送信装置１０に通知するか否かを判定する。
【０１０３】
ここで、オーディオ信号送信装置１０が利用している送信方式がサラウンドモードの送信方式である場合には、複数のチャンネルを介して送信されているオーディオ信号は単一の音源に由来するものであるため、取得希望信号通知部２６３は、取得希望信号に関する情報をオーディオ信号送信装置１０に通知する必要がある。他方、オーディオ信号送信装置１０が利用している送信方式がマルチソースモードの送信方式である場合には、複数のチャンネルのそれぞれに複数の音源に由来するオーディオ信号が送信されているため、オーディオ信号送信装置１０に通知を行うことなく、他のオーディオ信号を取得することができる。すなわち、取得希望信号通知部２６３では、オーディオ信号送信装置１０に対して情報の通知を行うことなく、オーディオ信号受信部２５７に対して新たなオーディオ信号の受信を要請し、オーディオ信号受信部２５７では、オーディオ信号送信装置１０から既に通知されているＣＨマッピング情報に基づいて、他のチャンネルに割り当てられているオーディオ信号を受信する。
【０１０４】
本実施形態に係るオーディオ信号受信装置２０では、かかる情報を必要に応じてオーディオ信号送信装置１０へ通知することで、ユーザは、オーディオ信号受信装置２０から出力されるオーディオ信号を変更することが可能となる。
【０１０５】
記憶部２６５は、例えば、ＣＨマッピング情報を構成するオーディオ信号の種別等が記録されているデータベースや、オーディオ信号送信装置１０に対して送信しうる各種送信情報や、本実施形態に係るオーディオ信号受信装置２０が利用する各種プログラムや処理方法等が格納される。
【０１０６】
さらに、記憶部２６５は、上記データベースやプログラム以外にも、オーディオ信号受信装置２０が、何らかの処理を行う際に保存する必要が生じた様々なパラメータや処理の途中経過等を、適宜記憶することが可能である。この記憶部２６５は、接続情報送信部２５１、接続管理情報受信部２５３、オーディオ信号送信方式判別部２５５、オーディオ信号受信部２５７、オーディオ信号出力制御部２５９、取得希望信号通知部２６３等のオーディオ信号受信装置２０を構成する各処理部が、自由に読み書きを行うことが可能である。
【０１０７】
なお、本実施形態に係るオーディオ信号受信装置２０では、オーディオ信号送信装置１０から送信されるオーディオ信号の受信や、オーディオ信号送信装置１０との双方向通信は、無線伝送により行われてもよく、ＰＬＣや有線伝送により行われてもよいが、無線伝送により行われることが好ましい。
【０１０８】
以上、本実施形態に係るオーディオ信号受信信装置２０の機能の一例を示した。上記の各構成要素は、汎用的な部材や回路を用いて構成されていてもよいし、各構成要素の機能に特化したハードウェアにより構成されていてもよい。また、各構成要素の機能を、ＣＰＵ等が全て行ってもよい。従って、本実施形態を実施する時々の技術レベルに応じて、適宜、利用する構成を変更することが可能である。
【０１０９】
＜オーディオ信号受信装置の接続処理について＞
続いて、図７を参照しながら、オーディオ信号送信装置１０へのオーディオ信号受信装置２０の接続処理について、詳細に説明する。図７は、本実施形態に係るオーディオ信号受信装置の接続処理を説明するための流れ図である。
【０１１０】
まず、図７を参照しながら、オーディオ信号送信装置１０とオーディオ信号受信装置２０との間の接続処理について、詳細に説明する。
【０１１１】
オーディオ信号送信装置１０の電源がユーザによってＯＮに設定されると（ステップＳ１０１）、オーディオ信号送信装置１０は、自身に備えられているオーディオ信号出力部を介して音源の出力を開始する（ステップＳ１０３）。
【０１１２】
ある時点で、オーディオ信号受信装置２０の電源がユーザによってＯＮに設定されると（ステップＳ１０５）、オーディオ信号受信装置２０は、記憶部２６５等を参照しながら、接続情報送信部２５１を介して受信装置種別（例えば、オーディオ信号受信装置２０がコンポであるのか、ヘッドホン等のオーディオ信号取得装置であるのか等）をオーディオ信号送信装置１０へ通知する（ステップＳ１０７）。
【０１１３】
オーディオ信号送信装置１０では、受信装置送信情報取得部１５３が、オーディオ信号受信装置２０からの受信装置種別通知を受信し、受信した内容を、チャンネル管理部１５５へと伝送する。チャンネル管理部１５５では、オーディオ信号受信装置２０がオーディオ信号送信装置１０に対して接続可能な装置であることを判断し、ＣＨマッピング情報生成部１５９では、新たなＣＨマッピング情報が生成される（ステップＳ１０９）。
【０１１４】
次に、オーディオ信号受信装置２０は、オーディオ信号送信装置１０に対して、オーディオ信号送信装置１０の種別（例えば、サラウンドモードのＣＨマッピング情報を許容する装置なのか、マルチソースモードのＣＨマッピング情報を許容する装置なのか等）と、オーディオ信号送信装置１０が現在使用しているＣＨマッピング情報の取得要求を通知する（ステップＳ１１１）。
【０１１５】
オーディオ信号送信装置１０の受信装置送信情報取得部１５３は、上記の取得要求を受信すると、接続管理情報送信部１５７が、送信装置１０の種別とＣＨマッピング情報とをオーディオ信号受信装置２０に送信する（ステップＳ１１３）。
【０１１６】
送信装置１０の種別およびＣＨマッピング情報を受信したオーディオ信号受信装置２０は、次に、オーディオ信号送信装置１０への接続確立要求と、再生を希望するチャンネルを、オーディオ信号送信装置１０へと通知する（ステップＳ１１５）。
【０１１７】
オーディオ信号受信装置２０からの接続確立要求を受信したオーディオ信号送信装置１０では、チャンネル管理部１５５において接続が確立しているオーディオ信号受信装置２０の台数を更新し（ステップＳ１１７）、接続を許可する旨の通知（接続確立通知）をオーディオ信号受信装置２０に通知する（ステップＳ１１９）。
【０１１８】
オーディオ信号送信装置１０との接続が確立したオーディオ信号受信装置２０では、再生可能音源を選択して、オーディオ信号の再生を行う（ステップＳ１２１）。
【０１１９】
以上説明したような手順にて、オーディオ信号受信装置２０はオーディオ信号送信装置１０に接続される。本実施形態に係る接続処理では、オーディオ信号受信装置２０は、ユーザからの操作を待つことなく、電源の投入とともにオーディオ信号送信装置１０への接続処理を開始するため、オーディオ信号受信装置２０のユーザは、容易にオーディオ信号送信装置１０との接続を行うことが可能となる。
【０１２０】
＜オーディオ信号送信装置の接続確認処理について＞
次に、図８を参照しながら、オーディオ信号送信装置１０が実施するオーディオ信号受信装置２０の接続確認処理について、詳細に説明する。図８は、本実施形態に係るオーディオ信号送信装置１０が実施する接続確認処理を説明するための流れ図である。
【０１２１】
オーディオ信号送信装置１０は、上述のように、所定の間隔でオーディオ信号受信装置２０に対して接続確認を行い、オーディオ信号受信装置２０との接続を維持するか否かを判定する。以下では、この接続確認処理について、詳細に説明する。なお、以下の説明においては、オーディオ信号送信装置１０には、２台のオーディオ信号受信装置２０Ａ、２０Ｂがそれぞれ接続されているものとする。
【０１２２】
オーディオ信号送信装置１０の受信装置稼動状況確認部１５１は、接続しているオーディオ信号受信装置２０Ａ、２０Ｂに対して、その稼動状態を確認するための稼動状態確認信号を送信する（ステップＳ２０１）。稼動状態確認信号を受信したオーディオ信号受信装置では、受信した稼動状態確認信号に対する返信を行って、接続している旨を通知する（ステップＳ２０３、Ｓ２０５）。
【０１２３】
オーディオ信号送信装置１０では、オーディオ信号受信装置２０からの返信を受信すると、接続状況を維持する処理を行うため、チャンネル管理部１５５では、接続状況の変更は行われず、ＣＨマッピング情報生成部１５９においても、新たなＣＨマッピング情報の生成も行われない。
【０１２４】
ここで、ある時点に、オーディオ信号受信装置２０Ｂに供給されている電源が遮断され（ステップＳ２０７）、オーディオ信号受信装置２０Ｂが電源ＯＦＦになってしまった場合を考える。
【０１２５】
オーディオ信号送信装置１０は、前回稼動状態確認信号を送信した時点（図８においては、ステップＳ２０１の時点）から所定の時間（例えば、１分程度）が経過すると、次の稼動状態確認信号を送信して、オーディオ信号受信装置２０Ａ、２０Ｂの接続確認を行う（ステップＳ２０９）。
【０１２６】
この場合、オーディオ信号受信装置２０Ａからは接続通知の返信がなされる（ステップＳ２１１）が、電源が遮断され電源ＯＦＦとなっているオーディオ信号受信装置２０Ｂからは返信がなされない。
【０１２７】
オーディオ信号送信装置１０では、前回の確認時に接続関係が維持されていたオーディオ信号受信装置２０Ｂからの返信がなかったことを受けて、オーディオ信号受信装置２０Ｂとの接続を解消し、チャンネル管理部１５５は、接続状態にあるオーディオ信号受信装置の台数を更新する（ステップＳ２１３）。
【０１２８】
その後、オーディオ信号受信装置２０Ａのユーザにより正式な手続きを経て電源がＯＦＦにされると（ステップＳ２１５）、オーディオ信号受信装置２０Ａは、シャットダウン処理の一環として、オーディオ信号送信装置１０に対して接続情報送信部２５１から接続解除通知が送信され（ステップＳ２１７）、オーディオ信号受信装置２０Ａの電源がＯＦＦとなる。
【０１２９】
オーディオ信号送信装置１０では、オーディオ信号受信装置２０Ａからの接続解除通知を受けて、オーディオ信号受信装置２０Ａとの接続を解消し、チャンネル管理部１５５は、接続状態にあるオーディオ信号受信装置の台数を更新する（ステップＳ２１９）。
【０１３０】
本実施形態に係るオーディオ信号伝送システム１では、かかる処理を所定の時間間隔ごとに自動で行っているため、オーディオ信号送信装置１０とオーディオ信号受信装置２０との接続の維持や接続解除を自動的に処理することが可能となる。
【０１３１】
＜オーディオ信号の変更要求処理について＞
続いて、図９および図１０を参照しながら、オーディオ信号受信装置２０が行うオーディオ信号の変更要求処理について、詳細に説明する。図９は、本実施形態に係るオーディオ信号伝送システム１におけるチャンネル変更処理を説明するための説明図であり、図１０は、本実施形態に係るオーディオ信号伝送システム１におけるチャンネル変更処理を説明するための流れ図である。
【０１３２】
本実施形態に係るオーディオ信号伝送システム１においては、オーディオ信号受信装置２０が、オーディオ信号送信装置１０で採用しているオーディオ信号の送信方式を自動的に判別する。その結果、オーディオ信号受信装置２０のユーザが、再生しているオーディオ信号の変更処理を指定した場合に、オーディオ信号受信装置２０は、判別したオーディオ信号の送信方式に応じて、処理内容を選択する。これにより、オーディオ信号受信装置２０のユーザは一定の操作を行っているだけにもかかわらず、オーディオ信号受信装置２０は、オーディオ信号送信装置１０の種別に応じて最適な処理を行うことができる。以下、このオーディオ信号の変更要求処理について、図９を参照しながら詳細に説明する。
【０１３３】
［サラウンドモードに対応したオーディオ信号送信装置の場合］
まず、オーディオ信号受信装置２０が、サラウンドモードの送信方式（第１の送信方式）を利用するオーディオ信号送信装置１０Ａからオーディオ信号を取得している場合について説明する。
【０１３４】
オーディオ信号受信装置２０が、オーディオ信号送信装置１０Ａに例えばラジオ波を利用して無線接続されると、オーディオ信号送信装置１０Ａは、オーディオ信号受信装置２０に対して、オーディオ信号送信装置１０Ａが利用している送信方式に関する情報と、ＣＨマッピング情報１４Ａとを送信する。オーディオ信号受信装置２０のオーディオ信号送信方式判別部２５５は、送信されてきた送信方式に関する情報に基づいて、送信装置１０Ａが用いている送信方式を判別する。
【０１３５】
この場合、オーディオ信号送信装置１０Ａから、利用している送信方式はサラウンドモードの送信方式である旨の情報が送信されるため、オーディオ信号送信方式判別部２５５は、親機であるオーディオ信号送信装置１０Ａは、サラウンドモードに対応した装置である旨を判別する。また、この判別結果は、例えば、送信されるＣＨマッピング情報１４Ａを参照することでも確認可能である。
【０１３６】
サラウンドモードに対応した装置では、例えば図９に示したように、４チャンネルある送信回線のうち、１チャンネル（モノラル２チャンネル）にメインチャンネルが割り当てられ、残りの３チャンネルは、メインチャンネルから派生するサラウンド成分が割り当てられるサブチャンネルとなっている。
【０１３７】
このような場合に、オーディオ信号受信装置２０のユーザが、受信しているオーディオ信号（すなわち、オーディオ信号受信装置２０にて再生しているオーディオ信号）の変更を、切り替えボタン等のキー操作部を介して指示すると、オーディオ信号受信装置２０の取得希望信号通知部２６３は、オーディオ信号送信装置１０Ａに対してオーディオ信号の変更要求を通知する。
【０１３８】
オーディオ信号送信装置１０Ａでは、例えば、現在チャンネル１に割り当てられているオーディオ信号がＤＶＤから取得した信号である場合に、他の音源（オーディオソース）、例えば、チューナーやアナログインやデジタルイン等からオーディオ信号を取得するとともに、ＣＨマッピング情報を更新する。具体的には、チャンネル１に割り当てられているオーディオ信号を次々に変更していくことで、オーディオ信号受信装置２０のユーザが行う切り替えボタンの操作に対応する。また、オーディオ信号受信装置２０では、新たに通知されるＣＨマッピング情報に基づいてオーディオ信号を取得して再生することで、ユーザの信号切り替え指示に対して処理を実行したことになる。
【０１３９】
なお、サラウンドモードのＣＨマッピング情報に複数のメインチャンネルが存在する場合には、オーディオ信号送信装置１０Ａは、オーディオ信号の切り替えを、複数のメインチャンネルを利用して行うことも可能である。この場合には、オーディオ信号送信装置１０Ａは、オーディオ信号受信装置２０に対して、オーディオ信号を取得すべきチャンネル（メインチャンネルが割り当てられているチャンネル）のロケーションに関するチャンネル情報（換言すれば、オーディオ信号受信装置２０が接続可能なチャンネルに関するチャンネル情報）を送信する。オーディオ信号受信装置２０では、受信したチャンネル情報と、ＣＨマッピング情報とに基づいて、受信するオーディオ信号を変更する。
【０１４０】
［マルチソースモードに対応したオーディオ信号送信装置の場合］
次に、オーディオ信号受信装置２０が、マルチソースモードの送信方式（第２の送信方式）を利用するオーディオ信号送信装置１０Ｂからオーディオ信号を取得している場合について説明する。
【０１４１】
オーディオ信号受信装置２０が、オーディオ信号送信装置１０Ｂに例えばラジオ波を利用して無線接続されると、オーディオ信号送信装置１０Ｂは、オーディオ信号受信装置２０に対して、オーディオ信号送信装置１０Ｂが利用している送信方式に関する情報と、ＣＨマッピング情報１４Ｂとを送信する。オーディオ信号受信装置２０のオーディオ信号送信方式判別部２５５は、送信されてきた送信方式に関する情報に基づいて、送信装置１０Ｂが用いている送信方式を判別する。
【０１４２】
この場合、オーディオ信号送信装置１０Ｂから、利用している送信方式はマルチソースモードの送信方式である旨の情報が送信されるため、オーディオ信号送信方式判別部２５５は、親機であるオーディオ信号送信装置１０Ｂは、マルチソースモードに対応した装置である旨を判別する。また、この判別結果は、例えば、送信されるＣＨマッピング情報１４Ｂを参照することでも確認可能である。
【０１４３】
マルチソースモードに対応した装置では、例えば図９に示したように、４チャンネルある送信回線のすべてに、異なる音源から取得したオーディオ信号が、それぞれメインチャンネルとして割り当てられている。
【０１４４】
このような場合に、オーディオ信号受信装置２０のユーザが、受信しているオーディオ信号（すなわち、オーディオ信号受信装置２０にて再生しているオーディオ信号）の変更を、切り替えボタン等のキー操作部を介して指示すると、オーディオ信号受信装置２０の取得希望信号通知部２６３は、初めからオーディオ信号送信装置１０Ｂに対してオーディオ信号の変更要求を通知せずに、ユーザの指示に対応する。
【０１４５】
すなわち、マルチソースモードに対応したオーディオ信号送信装置１０Ｂの場合には、４つ存在するチャンネルのすべてに、異なった音源から取得したオーディオ信号が割り当てられているため、オーディオ信号受信装置２０では、オーディオ信号を取得するチャンネルを変更するだけで、ユーザの信号切り替え指示に対して処理を実行したことになる。
【０１４６】
また、ユーザの信号切り替え指示に応じて存在するすべてのチャンネルのオーディオ信号を次々に受信したにもかかわらず、ユーザから信号切り替え指示が入力される場合には、オーディオ信号受信装置２０の取得希望信号通知部２６３は、オーディオ信号送信装置１０Ｂに対して、送信装置１０Ｂが未だ送信していないオーディオ信号の存非（すなわち、図９で示した場合には、５番目の音源から取得したオーディオ信号の存非）を確認する。
【０１４７】
オーディオ信号送信装置１０Ｂから、上記のような未だ送信していないオーディオ信号が存在する旨の情報が伝達された場合には、オーディオ信号受信装置２０の取得希望信号通知部２６３は、オーディオ信号送信装置１０Ｂに対して、オーディオ信号の変更要求を通知する。オーディオ信号送信装置１０Ｂでは、この通知を受けると、新たな音源（図９の場合には、第５の音源）からオーディオ信号を取得するとともに、ＣＨマッピング情報を更新する。ＣＨマッピング情報の更新に際しては、例えば、いずれか１つのチャンネルに割り当てられている信号を変更して、残りのチャンネルに割り当てられている信号は更新せずに利用する。続いて、オーディオ信号送信装置１０Ｂでは、オーディオ信号受信装置２０に対して、新たなＣＨマッピング情報と、接続すべきチャンネルに関するチャンネル情報とを送信する。オーディオ信号受信装置２０では、新たに通知されるＣＨマッピング情報とチャンネル情報とに基づいてオーディオ信号を取得して再生することで、ユーザの信号切り替え指示に対して処理を実行したことになる。
【０１４８】
また、オーディオ信号送信装置１０Ｂから、上記のような未だ送信していないオーディオ信号が存在しない旨の情報が伝達された場合には、オーディオ信号受信装置２０は、オーディオ信号送信装置１０Ｂに対してオーディオ信号の変更要求を通知せずに、現在通知されているＣＨマッピング情報１４Ｂに基づいて、再度オーディオ信号を受信するチャンネルを切り替える処理を実行する。
【０１４９】
［オーディオ信号受信装置２０のオーディオ信号変更要求処理について］
続いて、オーディオ信号受信装置２０が実行するオーディオ信号の変更要求処理について、図１０を参照しながら説明する。
【０１５０】
オーディオ信号受信装置２０のユーザが、切り替えボタン等のキー操作部を操作して、オーディオ信号の変更を指示すると（ステップＳ３０１）、オーディオ信号受信装置２０の取得希望信号通知部２６３は、オーディオ信号送信方式判別部２５５から通知された判別結果を確認し（ステップＳ３０３）、オーディオ信号を取得しているオーディオ信号送信装置１０の送信方式が、サラウンドモードなのか、マルチソースモードなのかを確認する。
【０１５１】
親機であるオーディオ信号送信装置１０の送信方式がマルチソースモードである場合には、取得希望信号通知部２６３は、最初からオーディオ信号送信装置１０に対してオーディオ信号の変更希望を通知せず、既得のＣＨマッピング情報に基づいて、オーディオ信号受信部２５７が他のオーディオ信号を受信する（ステップＳ３０５）。
【０１５２】
また、親機であるオーディオ信号送信装置１０の送信方式がサラウンドモードである場合には、取得希望信号通知部２６３は、オーディオ信号送信装置１０に対してオーディオ信号の変更希望を通知する（ステップＳ３０７）。通知を受けたオーディオ信号送信装置１０では、新たなＣＨマッピング情報を生成して、オーディオ信号受信装置２０へと送信する。オーディオ信号受信装置では、新たに通知されたＣＨマッピング情報を受信して（ステップＳ３０９）、受信した新たなＣＨマッピング情報に基づいて、他のオーディオ信号を受信する（ステップＳ３１１）。
【０１５３】
他のオーディオ信号の受信が終了すると、オーディオ信号受信装置２０は、受信したオーディオ信号を出力する（ステップＳ３１３）。オーディオ信号受信装置２０のユーザが、更に切り替えボタンを操作した場合には、オーディオ信号受信装置２０は、上記のステップを繰り返して対応することとなる。
【０１５４】
［オーディオ信号送信装置におけるＣＨマッピング情報の更新について］
なお、上記のオーディオ信号の変更処理に際して、オーディオ信号送信装置１０にてＣＨマッピング情報の更新を行う必要がある場合に、オーディオ信号送信装置１０は、各チャンネルからオーディオ信号を取得しているオーディオ信号受信装置２０の台数に応じて、更新処理を実行するチャンネルを変更することが可能である。
【０１５５】
オーディオ信号送信装置１０では、チャンネル管理部１５５が、各チャンネルからオーディオ信号を取得しているオーディオ信号受信装置２０の台数を把握している。そのため、オーディオ信号送信装置１０は、ＣＨマッピング情報の更新に際して、チャンネル管理部１５５が管理しているオーディオ信号受信装置２０の接続台数に基づいて処理を行うことが可能である。
【０１５６】
例えば、図１１に示したように、各チャンネルの接続状況１６が、チャンネル１には３台、チャンネル２には２台、チャンネル３には０台、チャンネル４には１台であった場合に、ＣＨマッピング情報生成部１５９は、上記の情報をチャンネル管理部１５５から取得して、ＣＨマッピング情報の変更により影響を受ける受信装置２０の台数が最も少なくなるように、ＣＨマッピング情報１４の更新を行う。すなわち、図１１に示したような接続状況である場合には、ＣＨマッピング情報生成部１５９は、接続台数が０台であるチャンネル３のＣＨマッピング情報１４を変更する。
【０１５７】
また、すべてのチャンネルにオーディオ信号受信装置２０が接続している場合には、接続台数の最も少ないチャンネルについて、チャンネルの変更処理を行う。また、オーディオ信号受信装置２０が接続しているチャンネルの接続台数が１台である場合（すなわち、変更要求を通知しているオーディオ信号受信装置２０のみが接続している場合）には、このチャンネルに関してＣＨマッピング情報の変更を行う。
【０１５８】
このような処理を行うことで、ＣＨマッピング情報の変更により影響を受ける受信装置２０の台数を少なくすることが可能である。
【０１５９】
以上説明したように、本実施形態に係るオーディオ信号伝送システム１では、オーディオ信号の伝送に加えて、送信装置１０と受信装置２０との間で双方向データ通信を行うため、子機であるオーディオ信号受信装置２０で利用できるメインチャンネルが１チャンネルのみの場合（すなわち、オーディオ信号送信装置１０がサラウンドモード対応の装置である場合）でも、親機であるオーディオ信号送信装置１０に切り替え要求を行うことで、親機の音源（オーディオソース）を変更することが可能となる。
【０１６０】
また、親機であるオーディオ信号送信装置１０の送信方式にかかわらず、オーディオ信号受信装置２０のユーザはチャンネル切り替えボタン等でオーディオソースを切り替えることが可能となるため、ユーザは、親機であるオーディオ信号送信装置１０の種類（サラウンドモード対応の装置か、マルチソースモード対応の装置か）を意識することなく操作を行うことができ、より簡便にオーディオ信号受信装置２０を操作することが可能となる。
【０１６１】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１６２】
例えば、上述した実施形態においては、チャンネル数がステレオ４チャンネルである場合について説明したが、チャンネル数の個数は上述の場合に限定されるわけではなく、４チャンネル以上であってもよい。設定可能なチャンネル数は、オーディオ信号送信装置やオーディオ信号受信装置に設けられるＣＰＵやＤＳＰの処理能力に依存するため、これらのプロセッサの処理能力に応じてチャンネル数を変化させることが可能である。
【図面の簡単な説明】
【０１６３】
【図１】本発明の第１の実施形態に係るオーディオ信号伝送システムを説明するための説明図である。
【図２】同実施形態に係るオーディオ信号送信装置のハードウェア構成を説明するためのブロック図である。
【図３】同実施形態に係るオーディオ信号受信装置のハードウェア構成を説明するためのブロック図である。
【図４】同実施形態に係るオーディオ信号送信装置の構成を説明するためのブロック図である。
【図５Ａ】同実施形態に係るチャンネルマッピング情報の一例を説明するための説明図である。
【図５Ｂ】同実施形態に係るチャンネルマッピング情報の一例を説明するための説明図である。
【図６】同実施形態に係るオーディオ信号受信装置の構成を説明するためのブロック図である。
【図７】同実施形態に係るオーディオ信号受信装置の接続処理を説明するための流れ図である。
【図８】同実施形態に係るオーディオ信号送信装置の接続確認処理を説明するための流れ図である。
【図９】同実施形態に係るオーディオ信号伝送システムにおけるチャンネル変更処理を説明するための説明図である。
【図１０】同実施形態に係るオーディオ信号伝送システムにおけるチャンネル変更処理を説明するための流れ図である。
【図１１】同実施形態に係るオーディオ信号伝送システムにおけるチャンネル変更処理を説明するための説明図である。
【符号の説明】
【０１６４】
１    オーディオ信号伝送システム
１０    オーディオ信号送信装置
１２    オーディオ信号出力装置
２０    オーディオ信号受信装置
１５１    受信装置稼働状況確認部
１５３    受信装置送信情報取得部
１５５    チャンネル管理部
１５７    接続管理情報送信部
１５９    チャンネルマッピング情報生成部
１６１，２６５    記憶部
１６３    送信オーディオ信号取得部
１６５    オーディオ信号送信部
２５１    接続情報送信部
２５３    接続管理情報受信部
２５５    オーディオ信号送信方式判別部
２５７    オーディオ信号受信部
２５９    オーディオ信号出力制御部
２６１    入力部
２６３    取得希望信号通知部
【図１】
0004983485.tif 000002
【図２】
0004983485.tif 000003
【図３】
0004983485.tif 000004
【図４】
0004983485.tif 000005
【図５Ａ】
0004983485.tif 000006
【図５Ｂ】
0004983485.tif 000007
【図６】
0004983485.tif 000008
【図７】
0004983485.tif 000009
【図８】
0004983485.tif 000010
【図９】
0004983485.tif 000011
【図１０】
0004983485.tif 000012
【図１１】
0004983485.tif 000013